(57)【特許請求の範囲】
【請求項１】
排液部分と、この排液部分の後側に位置する臀部部分と、を有し、
液透過性表面シート、液不透過性裏面側シート、並びにこれら表面シート及び裏面側シートの間に介在された吸収体が、少なくとも前記排液部分から前記臀部部分にかけて備えられた吸収性物品であって、
前記吸収体は、前記排液部分と前記臀部部分との境界部に、当該吸収体が前後方向に連続しない不連続部を有し、
前記臀部部分の吸収体と前記液不透過性裏面側シートとの間に、排液部分側が開口する、液不透過性の素材で形成された袋体が備えられ、
この袋体の開口と前記不連続部とが連通する構成とされている、
ことを特徴とする吸収性物品。
【請求項２】
一端部が前記表面シートと繋がり、前記不連続部を通り抜け、他端部が前記袋体内に至る体液の誘導シートが備えられている、
請求項１記載の吸収性物品。
【請求項３】
前記吸収体の両側部に沿って起立ギャザーが備えられ、かつ、
前記誘導シートとして、一端部が前記臀部部分の表面シートに固定され、前記不連続部を通り抜け、他端部が前記袋体内に至ることにより、前記臀部部分の吸収体の少なくとも排液部分側端部を挟み込んだ状態とされた臀部側誘導シートが備えられ、
この臀部側誘導シートの前記一端部が前記起立ギャザーの起立部に固定されている、
請求項２記載の吸収性物品。
【発明の詳細な説明】
【技術分野】
【０００１】
本発明は、使い捨ておむつ、補助パッド等の吸収性物品に関するものである。
【背景技術】
【０００２】
尿などの体液を吸収する吸収性物品としては、パンツ型おむつ、テープ型おむつ等の使い捨ておむつや、尿採りパッド等の吸収パッドなどが知られており、体液の漏れ防止やスキントラブルの軽減などを課題として日々改良が重ねられている。
体液の漏れ防止を課題とする吸収性物品としては、例えば、紙おむつ本体部の前見頃の肌に接する面に陰茎挿入用の袋体を設けた形態が存在する（特許文献１）。この形態によると、袋体内に体液が保持されるため、体液の量が多いことに起因する漏れを防止することができる。
しかしながら、この形態は、陰茎を袋体内に納めるものであるため、スキントラブルの問題を十分に解決することができない。
【先行技術文献】
【特許文献】
【０００３】
【特許文献１】特開２００７‐９７６４５号公報
【発明の概要】
【発明が解決しようとする課題】
【０００４】
本発明が解決しようとする主たる課題は、体液の量が多いことに起因する漏れを十分に防止することができながら、スキントラブルを軽減することができる吸収性物品を提供することにある。
【課題を解決するための手段】
【０００５】
この課題を解決した本発明は、次の通りである。
〔請求項１記載の発明〕
排液部分と、この排液部分の後側に位置する臀部部分と、を有し、
液透過性表面シート、液不透過性裏面側シート、並びにこれら表面シート及び裏面側シートの間に介在された吸収体が、少なくとも前記排液部分から前記臀部部分にかけて備えられた吸収性物品であって、
前記吸収体は、前記排液部分と前記臀部部分との境界部に、当該吸収体が前後方向に連続しない不連続部を有し、
前記臀部部分の吸収体と前記液不透過性裏面側シートとの間に、排液部分側が開口する、液不透過性の素材で形成された袋体が備えられ、
この袋体の開口と前記不連続部とが連通する構成とされている、
ことを特徴とする吸収性物品。
【０００６】
（作用効果）
吸収体の排液部分と臀部部分との境界部に当該吸収体が前後方向に連続しない不連続部を有すると、排液部分において排出された体液の少なくとも一部は、臀部部分へ拡散する前に、不連続部を通して裏面側へ移動する。したがって、臀部部分の吸収体と液不透過性裏面側シートとの間に排液部分側が開口する袋体が備えられ、この袋体の開口と前記不連続部とが連通する構成とされていると、裏面側へ移動した体液が袋体内に保持される。結果、体液の量が多いことに起因する漏れが防止される。
また、臀部部分にかかる体圧は相対的に小さいため、袋体内に保持された体液が逆戻りするおそれは少なく、スキントラブルが軽減される。
【０００７】
〔請求項２記載の発明〕
一端部が前記表面シートと繋がり、前記不連続部を通り抜け、他端部が前記袋体内に至る体液の誘導シートが備えられている、
請求項１記載の吸収性物品。
【０００８】
（作用効果）
一端部が表面シートと繋がり、不連続部を通り抜け、他端部が袋体内に至る体液の誘導シートが備えられていると、臀部部分へ拡散する前に、不連続部を通して裏面側へ移動する体液の量が増える。したがって、上記作用効果がより確実に奏せられる。
【０００９】
〔請求項３記載の発明〕
前記吸収体の両側部に沿って起立ギャザーが備えられ、かつ、
前記誘導シートとして、一端部が前記臀部部分の表面シートに固定され、前記不連続部を通り抜け、他端部が前記袋体内に至ることにより、前記臀部部分の吸収体の少なくとも排液部分側端部を挟み込んだ状態とされた臀部側誘導シートが備えられ、
この臀部側誘導シートの前記一端部が前記起立ギャザーの起立部に固定されている、
請求項２記載の吸収性物品。
【００１０】
（作用効果）
吸収体の両側部に沿って起立ギャザーが備えられ、かつ、前記誘導シートとして、一端部が臀部部分の表面シートに固定され、前記不連続部を通り抜け、他端部が前記袋体内に至ることにより、前記臀部部分の吸収体の少なくとも排液部分側端部を挟み込んだ状態とされた臀部側誘導シートが備えられ、この臀部側誘導シートの前記一端部が前記起立ギャザーの起立部に固定されていると、起立ギャザーが起立するのにともなって、臀部部分の吸収体の臀部側誘導シートに挟み込まれた部分が肌面側（表面側）に浮き上がる。結果、臀部部分の吸収体が排液部分の吸収体に対して表面側にずれた（移動した）状態となり、前記不連続部が開口を形成するため、体液が袋体内へ移動し易くなる。
【発明の効果】
【００１１】
本発明によると、体液の量が多いことに起因する漏れを十分に防止することができながら、スキントラブルを軽減することができる吸収性物品となる。
【図面の簡単な説明】
【００１２】
【図１】展開状態の吸収パッドの表面（肌面）側を示す平面図である。
【図２】図１のＩＩ−ＩＩ線断面図である。
【図３】図１のＩＩＩ−ＩＩＩ線断面図である。
【図４】図１のＩＶ−ＩＶ線断面図である。
【図５】排液部分側の吸収体と臀部部分側の吸収体との位置関係を説明するための図である。
【発明を実施するための形態】
【００１３】
以下、本発明の形態例について添付図面を参照しながら詳説する。
なお、本発明の用語のうち「排液部分」及び「臀部部分」とは、本物品における相対的な位置関係を示すための用語であり、「排液部分」が装着時に尿等の体液が排出される側の部分を、「臀部部分」が排液部分の前後方向後側（背側）に位置する部分を、それぞれ意味する。したがって、物品によって排液部分及び臀部部分の前後方向の長さや、両者の長さ比は異なることになる。ただし、吸収体の「不連続部」の存在を必須とする本物品においては、この不連続部の前後方向前側（腹側）が排液部分、前後方向後側（背側）が臀部部分と定義される。
【００１４】
以下では、吸収性物品が尿採りパッド等の吸収パッドである場合を例に説明するが、本発明に係る吸収性物品を吸収パッドに限定する趣旨ではなく、例えば、パンツ型おむつ、テープ型おむつ等の使い捨ておむつにも適用することもできる。
【００１５】
図１〜図４は、本形態に係る吸収パッド２００を示している。この吸収パッド２００は、装着時に尿等の体液が排出される排液部分Ｃ２と、この排液部分Ｃ２の後側（背側）に延在する臀部部分Ｂ２とを有する。
【００１６】
吸収パッド２００の各部の寸法は適宜定めることができ、例えば、物品全長（前後方向の長さ）Ｍは３５０〜７００ｍｍ、全幅Ｗ１は１３０〜４００ｍｍとすることができる。そして、この場合における排液部分Ｃ２の前後方向の長さは５０〜３５０ｍｍ、臀部部分Ｂ２の前後方向の長さは３５０〜６５０ｍｍとすることができる。
【００１７】
吸収パッド２００は、液透過性表面シート２２、液不透過性裏面側シート２１、並びにこれら表面シート２２及び裏面側シート２１の間に介在された吸収体２３が、排液部分Ｃ２から臀部部分Ｂ２にかけて備えられた基本構造を有している。また、裏面側シート２１の裏面（外面）には外装シート２５が積層されている。
【００１８】
裏面側シート２１としては、例えば、ポリエチレンフィルム等のほか、ムレ防止の点から遮水性を損なわずに透湿性を備えたシートも用いることができる。この遮水性・透湿性を有するシートとしては、例えば、ポリエチレンやポリプロピレン等のオレフィン樹脂中に無機充填材を溶融混練してシートを形成し、このシートを一軸又は二軸方向に延伸して得られた微多孔性シートを用いることができる。
【００１９】
外装シート２５は、裏面側シート２１の両側縁より外方へはみ出している。この外装シート２５としては、各種の不織布を用いることができる。この不織布を構成する素材繊維としては、例えば、ポリエチレン又はポリプロピレン等のオレフィン系、ポリエステル系、アミド系等の合成繊維のほか、レーヨンやキュプラ等の再生繊維、綿等の天然繊維を用いることができる。
【００２０】
本形態において、表面シート２２は、吸収体２３よりも幅狭とされ、吸収体２３の両側部が表面シート２２の両側縁から外方へはみ出した構造とされているが、吸収体２３の両側部がはみ出さないように表面シート２２の幅を広げることもできる。
【００２１】
表面シート２２としては、有孔又は無孔の不織布や穴あきプラスチックシート等を用いることができる。この表面シート２２に用いる不織布を構成する素材繊維としては、例えば、ポリエチレン又はポリプロピレン等のオレフィン系、ポリエステル系、アミド系等の合成繊維のほか、レーヨンやキュプラ等の再生繊維、綿等の天然繊維を用いることができる。
【００２２】
表面シート２２と吸収体２３との間には、図示はしないが、例えば、メッシュフィルム等からなる中間シートを介在させることができる。この中間シートは、吸収体２３が吸収した体液の逆戻りを防止するに有用であり、したがって、保水性が低くかつ透液性の高い素材であるメッシュフィルムを用いるのが好ましい。
【００２３】
表面シート２２の前端を０％とし表面シート２２の後端を１００％としたとき、中間シートの前端は０〜１１％の範囲に位置しているのが好ましく、中間シートの後端は９２〜１００％の範囲に位置しているのが好ましい。また、中間シートの幅は、吸収体２３の幅の５０〜９０％であるのが好ましい。
【００２４】
吸収パッド２００の前後方向両端部においては、外装シート２５、裏面側シート２１及び表面シート２２の吸収体２３の前後方向両端縁よりも前方又は後方に延在する部分が貼り合わされて、吸収体２３の存在しないエンドフラップ部ＥＦが形成されている。
【００２５】
また、吸収パッド２００の幅方向両側端部においては、外装シート２５が吸収体２３の両側縁よりも両側方へ延在しており、この延在部から表面シート２２の側部までの部分の表面（肌面）上に、起立ギャザーを構成するバリヤシート２４の幅方向外側の部分２４ｘが前後方向全体にわたって貼り付けられ、もって吸収体２３の存在しないサイドフラップ部ＳＦが形成されている。
【００２６】
これらエンドフラップ部ＥＦ及びサイドフラップ部ＳＦの貼り合わせは、例えば、ホットメルト接着剤、ヒートシール、超音波シール等によって行うことができる。また、エンドフラップ部ＥＦ及びサイドフラップ部ＳＦは、吸収パッド２００の周縁部を構成し、この周縁部によって囲まれる部分が吸収パッド２００の本体部を構成している。
【００２７】
なお、外装シート２５を設けない場合は、当該外装シート２５に代えて裏面側シート２１をより幅広にし、サイドフラップ部ＳＦの外面側を構成させることができる。
【００２８】
バリヤシート２４としては、例えば、プラスチックシートやメルトブローン不織布を用いることができるが、肌への感触性の点で、不織布にシリコーン剤等による撥水処理を施した撥水性加工不織布を用いるのが好ましい。
【００２９】
バリヤシート２４の幅方向中央側の部分２４ｃは、表面シート２２上に延在しており、幅方向中央側の端部には、特に図示例では折返し部分内側には、細長状の弾性部材２４Ｇが前後方向に沿って伸張状態でホットメルト接着剤等によって固定されている。
【００３０】
この細長状の弾性部材２４Ｇとしては、例えば、糸状、紐状、帯状等の形状とされた、スチレン系ゴム、オレフィン系ゴム、ウレタン系ゴム、エステル系ゴム、ポリウレタン、ポリエチレン、ポリスチレン、スチレンブタジエン、シリコーン、ポリエステル等の通常用いられる素材を用いることができる。
【００３１】
また、バリヤシート２４は、幅方向外側の部分２４ｘが前後方向全体にわたって物品内面に、図示例では表面シート２２や外装シート２５等の表面に貼り合わされて固定されている。他方、バリヤシート２４の幅方向中央側の部分２４ｃは、前後方向両端部では物品表面に、図示例では表面シート２２の表面に貼り合わされて固定され、前後方向両端部間では物品表面、図示例では表面シート２２の表面に固定されていない。この非固定部分は、図３に示すように、物品の表面から、図示例では表面シート２２の表面（肌面）から起立する起立ギャザーの起立部（バリヤ）となる部分であり、この起立部の起立基端はバリヤシート２４における幅方向外側の固定部分２４ｘと幅方向内側の非固定部分２４ｃとの境界に位置する。
【００３２】
吸収体２３としては、例えば、パルプ繊維の積繊体、セルロースアセテート等のフィラメントの集合体、不織布等を基本とし、必要に応じて粒子状等の吸収性ポリマーを混合、固着等してなるものを用いることができる。また、吸収体２３の形状は、図示例では、相対的に臀部部分Ｂ２側が排液部分Ｃ２側よりも幅広な帯状とされているが、この他にも、例えば、長方形状、台形状、砂時計状等の適宜の形状とすることができる。
【００３３】
図示例のように、吸収体２３を臀部部分Ｂ２側が排液部分Ｃ２側よりも幅広な帯状とする場合、この幅広部分の幅を幅狭部分の幅の１００〜１８０％とすることができる。また、物品前端を０％とし物品後端を１００％とした場合において、幅狭部分の後端は４０〜６５％の範囲に位置しているのが好ましい。
【００３４】
吸収体２３は、例えば、形状保持を図るために、あるいは吸収性ポリマー粒子の散逸を防止するために、クレープ紙や不織布等で形成されたコアラップ２６によって覆うことができる。吸収体２３は、コアラップ２６によって包み込むこともできるが、図示例のように、両サイドが切断された状態とすることもできる。
【００３５】
コアラップ２６として用いる不織布としては、例えば、ポリエチレンやポリプロピレン等のポリオレフィンや、ポリエチレンテレフタレート等のポリエステル、ナイロン（登録商標）等のポリアミドなどの熱可塑性ポリマーからなる繊維を構成繊維とするものを例示することができる。これらの構成繊維は、例えば、芯鞘型、サイドバイサイド型等の複合型とすることもできる。
【００３６】
本形態の吸収体２３は、排液部分Ｃ２（排液部分Ｃ２に位置する吸収体２３を符号２３Ｃで示す。）と臀部部分Ｂ２（臀部部分Ｂ２に位置する吸収体２３を符号２３Ｂで示す。）との境界部に、当該吸収体２３が前後方向に連続しない不連続部３０を有する。この不連続部３０は、吸収体２３の幅方向全長にわって設けられていても、図示例のように、吸収体２３の幅方向中央部のみに設けられていてもよい。なお、表面シート２２は、図示例のように吸収体２３とともに不連続として排液部分Ｃ２側の表面シート２２Ｃと臀部部分Ｂ２側の表面シート２２Ｂとに分離されたものとしても、分離されていないものとしてもよい。
【００３７】
不連続部３０の形成方法は特に限定されず、例えば、吸収体２３を幅方向全長にわたって、あるいは幅方向中央部において切断することによって形成することができる。ただし、不連続部３０が吸収体２３の幅方向全長にわって設けられる形態とする場合は、吸収体２３として排液部分Ｃ２に配置する吸収体と臀部部分Ｂ２に配置する吸収体との２つを用意し、これら２つの吸収体を前後方向に並べて形成することも考えられる。
【００３８】
また、排液部分Ｃ２側の吸収体２３Ｃと臀部部分Ｂ２側の吸収体２３Ｂとは、図５の（ａ）に例示するように当接していても、図５の（ｂ）に例示するように離間していてもよい。排液部分Ｃ２側の吸収体２３Ｃと臀部部分Ｂ２側の吸収体２３Ｂとが当接している場合（前者の場合）は、不連続部３０が平面視（吸収体２３を貫く方向に視た場合）でライン状（線状）になり、排液部分Ｃ２側の吸収体２３Ｃと臀部部分Ｂ２側の吸収体２３Ｂとが離間している場合（後者の場合）は、不連続部３０が平面視で開口状になる。
【００３９】
図示例では、コアラップ２６と裏面側シート２１との間には、排液部分Ｃ２側が開口する袋体４０が備えられ、この袋体４０の開口と不連続部３０とが連通する構成とされている。排液部分Ｃ２側の吸収体２３Ｃと臀部部分Ｂ２側の吸収体２３Ｂとの境界部に吸収体２３が前後方向に連続しない不連続部３０が設けられていると、排液部分Ｃ２において排出された体液の少なくとも一部が、臀部部分Ｂ２側の吸収体２３Ｂへ拡散する前に、不連続部３０を通して臀部部分Ｂ２側の吸収体２３Ｂの裏面側へ移動する。したがって、臀部部分Ｂ２側の吸収体２３Ｂの裏面側に排液部分Ｃ２側が開口する袋体４０が備えられ、この袋体４０の開口と不連続部３０とが連通する構成とされていると、裏面側へ移動した体液が袋体４０内に保持される。結果、体液の量が多いことに起因する漏れが防止される。また、本物品２００において臀部部分Ｂ２（特に臀部部分Ｂ２のうち前後方向に関して排液部分Ｃ２側の部分、いわゆる股間部。）にかかる体圧は相対的に小さいため、袋体４０内に保持された体液が逆戻りするおそれは少なく、スキントラブルが軽減される。
【００４０】
さらに、これらの効果を得るにおいて、吸収パッド２００の外形（外縁形状）や肌面（表面）が従来の物品と異なるものとされないため、装着者等に違和感等を与えるおそれがない。しかも、吸収パッド２００は、前述特許文献１に開示された形態と異なり、肌面に陰茎挿入用の袋体が設けられるものではないため、男性用としてだけではなく、女性用としても用いることができる。
【００４１】
ここで、袋体４０の開口と不連続部３０とが「連通」するとは、単に体液の移動（流れ）を阻止するための材料が設けられていないことを意味し、積極的に体液の移動を促進する材料が設けられている形態も、当該促進材料が設けられていない形態も含む。
【００４２】
本形態において、袋体４０の形状、形成方法等は特に限定されず、例えば、略長方形状のシート素材を折り返して重ね合わせ、この重ね合わせ部分の両側縁をホットメルト接着剤、ヒートシール、超音波シール等によって貼り合わせることにより、三方閉じ構造の袋体を形成することができる。
【００４３】
また、この袋体４０は、例えば、裏面側シート２１の表面側に排液部分Ｃ２側の吸収体２３Ｃを配置する等した後に、当該裏面側シート２１の表面側に配置し、次いで、臀部部分Ｂ２側の吸収体２３Ｂ、表面シート２２等を配置するといった手順で備えることができる。
【００４４】
さらに、袋体４０の前後方向後端部（非開口部）がどこまで延在するかは特に限定されず、例えば、吸収体２３の前後方向後端部と同位置まで延在する形態とすることなどもできる。ただし、体圧が特に小さくなる股間部のみに袋体４０が存在するものとすれば、より体液の逆戻りを防止することができるため、股間部のみに袋体４０が存在するよう袋体４０の前後方向後端部の延在位置を調節するのが好ましい。具体的には、例えば、物品全長Ｍが３５０〜７００ｍｍである場合において、臀部部分Ｂ２側の吸収体２３Ｂの前端を０％、後端を１００％としたときは、袋体４０の後端縁が１．３〜９３．０％の範囲に位置しているのが好ましい。
【００４５】
図示例では、袋体４０の前後方向後端部が吸収体２３の前後方向後端部よりも前後方向前側に留まる形態とされている。この形態においては、袋体４０が延在しない部位において、例えば、コアラップ２６と裏面側シート２１とをホットメルト接着剤やヒートシール、超音波シール等によって貼り合わせておき、袋体４０の位置安定性を向上させるのが好ましい。
【００４６】
袋体４０の素材は、長時間経過後も体液の逆戻りが確実に防止されるという点で、裏面側シート２１と同様に、液不透過性の素材（軟質合成樹脂フィルム等）で形成する。
【００４７】
袋体４０は、例えば、内部に吸収性ポリマーを入れておいたり、逆止弁構造としたりして、体液の逆戻りをより確実に防止することもできる。なお、吸収性ポリマーとしては、吸収体２３に用いる吸収性ポリマーと同様のものを用いることができる。
【００４８】
前述したように本形態の吸収パッド２００は、不連続部３０に、積極的に体液の袋体４０内への移動を促進する材料が設けられていない形態も含むが、本形態においては、臀部側誘導シート３２及び排液側誘導シート３１が設けられている。
【００４９】
臀部側誘導シート３２は、一端部が臀部部分Ｂ２の表面シート２２Ｂに固定され、特に図示例では表面シート２２Ｂの表面上に固定され、不連続部３０を通り抜け、他端部が袋体４０内に至るように設けられている。これにより、臀部部分Ｂ２側の吸収体２３Ｂの排液部分Ｃ２側端部が当該臀部側誘導シート３２によって挟み込まれた状態になっている。
【００５０】
また、排液側誘導シート３１は、一端部が排液部分Ｃ２の表面シート２２Ｃに固定され、特に図示例では表面シート２２Ｃの表面上に固定され、不連続部３０を通り抜け、他端部が袋体４０内に至るように設けられている。
【００５１】
以上のように、一端部が表面シート２２と固定等によって繋がり、不連続部３０を通り抜け、他端部が袋体４０内に至る体液の誘導シート３１，３２が設けられていると、臀部部分Ｂ２へ拡散する前に、不連続部３０を通して吸収体２３の裏面側へ移動する体液の量が増える。したがって、前記漏れ防止効果やスキントラブルの軽減効果がよりいっそう確実に奏せられるようになる。
【００５２】
ここで、表面シート２２と誘導シート３１，３２とがどのように「繋がる」かは、特に限定されない。本形態のように別のシートの一端部が表面シート２２に固定されて繋がる形態とすることのほか、例えば、表面シート２２自体が延在し、この延在部分が誘導シート３１，３２を構成することで表面シート２２及び誘導シート３１，３２が繋がる形態とすることができる。この後者の形態を、本形態例に適用する場合は、例えば、排液部分Ｃ２側の表面シート２２Ｃ及び排液側誘導シート３１を１枚のシートで構成し、臀部部分Ｂ２側の表面シート２２Ｂ及び臀部側誘導シート３２を１枚のシートで構成することができる。
【００５３】
また、吸収体２３の両側部に沿って起立ギャザーが備えられている本形態の吸収パッド２００においては、臀部側誘導シート３２の前記一端部（表面シート２２Ｂに固定された部位）が起立ギャザーの起立部（前述非固定部）に固定されているとより好ましいものとなる。この形態によると、起立ギャザーが起立するのにともなって、臀部部分Ｂ２側の吸収体２３Ｂの臀部側誘導シート３２に挟み込まれた部分が、図５の（ｃ）に例示するように、肌面側（表面側）に移動する。結果、臀部部分Ｂ２側の吸収体２３Ｂが排液部分Ｃ２の吸収体２３Ｃに対して表面側にずれた状態となり、不連続部３０が排液部分Ｃ２側から臀部部分Ｂ２側に向かって視た場合において開口を形成した状態になるため、体液がより確実に不連続部３０を通して袋体４０内へ移動するようになる。
【００５４】
また、特に本形態においては、排液部分Ｃ２の両側部に、弾性部材２４と並行する補助弾性部材２４Ｇｘが設けられている。この補助弾性部材２４Ｇｘは、不連続部３０の排液部分Ｃ２側（前方）から臀部部分Ｂ２（後方）側にかけて、つまり側面視で不連続部３０を跨ぐように配置され、伸張状態でコアラップ２６とバリヤシート２４との間に固定されている。
【００５５】
この補助弾性部材２４Ｇｘの収縮力によって、図５に示すように、排液部分Ｃ２側の吸収体２３Ｃ、あるいは表面側に移動した臀部部分Ｂ２側の吸収体２３Ｂが、他方の吸収体２３Ｂ，２３Ｃ側へ移動し、両吸収体２３Ｂ，２３Ｃの端部同士が平面視で重なるようになる。したがって、例えば、吸収体２３Ｂ，２３Ｃに体圧がかかり前述図５の（ｃ）を参照しながら説明した開口が潰れたとしても、排液部分Ｃ２側から臀部部分Ｂ２側へ延在するライン状の不連続部３０が残ることになる。そして、この不連続部３０の延在方向は体液の拡散方向でもあるため、体液は確実に臀部部分Ｂ２側の吸収体２３Ｂの裏面側へ移動する。
なお、補助弾性部材２４Ｇｘの素材や固定方法等は、弾性部材２４Ｇと同様とすることができる。
【００５６】
本形態においては、誘導シート３１，３２の有無に関わらず、補助弾性部材２４Ｇｘを設けることができる。また、これら誘導シート３１，３２や補助弾性部材２４Ｇｘの有無に関わらず、袋体４０の上端部を不連続部３０の端縁又は開口縁に貼り合わせることができる。この貼り合わせを行うと、不連続部３０を通して移動した体液が、袋体４０外に拡散するのが防止される。
【００５７】
吸収体２３における繊維目付け及び吸収性ポリマー目付けは適宜定めることができるが、繊維目付けは１００〜６００ｇ／ｍ2とするのが好ましく、吸収性ポリマー目付けは０〜４００ｇ／ｍ2とするのが好ましい。
【００５８】
また、吸収体２３の繊維／ポリマー比は、一般的には３以下とするのが好ましいが、排液部分Ｃ２側の吸収体２３Ｃと臀部部分Ｂ２側の吸収体２３Ｂとで上記のように機能を異ならせる本形態においては、排液部分Ｃ２側の吸収体２３Ｃの繊維／ポリマー比を２〜３とし、臀部部分Ｂ２側の吸収体２３Ｂの繊維／ポリマー比を１〜２とするのが好ましい。
【産業上の利用可能性】
【００５９】
本発明は、パンツ型おむつ、テープ型おむつ等の使い捨ておむつや、尿採りパッド等の吸収パッドなどとして、適用可能である。
【符号の説明】
【００６０】
２１…裏面側シート、２２…表面シート、２３…吸収体、２４…バリヤシート、２５…外装シート、２６…コアラップ、３０…不連続部、４０…袋体、２００…吸収パッド、Ｂ２…臀部部分、Ｃ２…排液部分。
【図１】
0005544202.tif 000002
【図２】
0005544202.tif 000003
【図３】
0005544202.tif 000004
【図４】
0005544202.tif 000005
【図５】
0005544202.tif 000006